(57)【特許請求の範囲】
【請求項１】
所定の分光分布を有する第１の光を照射する第１の光源と、
第１の光とは異なる分光分布を有する第２の光を照射する第２の光源と、
第１の光および第２の光が入射し、入射した第１の光および第２の光から選択された光を混合することにより合成された擬似太陽光を出射する光選択部とを備えた擬似太陽光照射装置であって、
第１の光源および第２の光源の少なくとも一方と光選択部との間に、第１の光および第２の光の少なくとも一方の光を反射し、上記光選択部に入射させる反射部材と、
第１の光源と光選択部との間に設けられ、第１の光が所定の角度で光選択部に入射するように、第１の光の指向性を制御する第１の指向性制御部と、
第２の光源と光選択部との間に設けられ、第２の光が所定の角度で光選択部に入射するように、第２の光の指向性を制御する第２の指向性制御部と、
上記第１の指向性制御部と光選択部との間に設けられ、上記第１の指向性制御部から出射された第１の光の発光スペクトルを調整する第１のスペクトル調整部と、
上記第２の指向性制御部と光選択部との間に設けられ、上記第２の指向性制御部から出射された第２の光の発光スペクトルを調整する第２のスペクトル調整部とを備えることを特徴とする擬似太陽光照射装置。
【請求項２】
第１の光源は、波長３００〜７００ｎｍの光を含む第１の光を照射し、
上記反射部材は、第１の光源と光選択部との間に設けられていると共に、アルミミラーからなることを特徴とする請求項１に記載の擬似太陽光照射装置。
【請求項３】
上記第２の光源は、波長７００ｎｍ以上の光を含む第２の光を照射し、
上記反射部材は、第２の光源と光選択部との間に設けられていると共に、金ミラーからなることを特徴とする請求項１または２に記載の擬似太陽光照射装置。
【請求項４】
上記光選択部から出射される擬似太陽光が入射する導光体を備え、
上記導光体には、上記導光体の内部を伝搬する光を被照射体側に出射させる散乱体が形成されていることを特徴とする請求項１〜３のいずれか１項に記載の擬似太陽光照射装置。
【請求項５】
上記反射部材は、上記光選択部を包囲するように設けられていることを特徴とする請求項１〜４のいずれか１項に記載の擬似太陽光照射装置。
【請求項６】
上記反射部材は、第２の指向性制御部の出射側の端部から、上記光選択部に向かって延在しており、第２の指向性制御部の出射面と光選択部との間から漏れる光を反射し、上記光選択部に入射させることを特徴とする請求項１〜５のいずれか１項に記載の擬似太陽光照射装置。
【発明の詳細な説明】
【技術分野】
【０００１】
本発明は、擬似太陽光を照射する擬似太陽光照射装置に関する。
【背景技術】
【０００２】
近年、太陽電池パネルの大型化が進み、太陽光に近い人工光（擬似太陽光）を照射できる装置の需要が高まっている。特に、太陽電池技術の急速な発展と普及に伴い、太陽電池の検査、測定、および実験に利用可能な、高精度の擬似太陽光を大面積に照射できる装置が特に求められている。
【０００３】
擬似太陽光に求められる主要な要素は、その擬似太陽光の発光スペクトルが基準太陽光（日本工業規格により制定）と近いことと、擬似太陽光の照度が基準太陽光と同程度であることである。そこで、このような擬似太陽光を照射するための技術が、特許文献１〜３に開示されている。
【０００４】
特許文献１には、擬似太陽光スペクトルを得るために、少なくとも２種類の光源と、これら各光源からの波長範囲の異なる光を選択的に透過および反射する少なくとも２種類の透過光および反射光を抽出混合させる少なくとも１枚の波長依存性の鏡（コールドミラーやシャープカットフィルタ等）とを備える擬似太陽光照射装置（ソーラーシミュレータ）が開示されている。
【０００５】
図１１は、特許文献１の擬似太陽光照射装置１００の概略図である。具体的には、擬似太陽光照射装置１００は、キセノン光源１０１、ハロゲン光源１０２、およびコールドミラー１０３を備えている。擬似太陽光照射装置１００は、キセノン光源１０１およびハロゲン光源１０２から照射された光Ａを、コールドミラー１０３で抽出混合する。これにより、基準太陽光と類似したスペクトルを有する擬似太陽光Ｂが生成し、その擬似太陽光Ｂが被照射体１０４に照射される。このように、擬似太陽光照射装置１００は、適切な光源を組み合わせることにより再現された擬似太陽光Ｂを照射する。
【０００６】
一方、特許文献２にも、同様に２つの光源とそれぞれのスペクトルを制御する光学フィルタによって基準太陽光と類似したスペクトルを生成している擬似太陽光照射装置（ソーラーシミュレータ）が開示されている。この装置によれば、２種類の光源にて広い面積に擬似太陽光を照射可能となる。
【０００７】
図１２は、特許文献２の擬似太陽光照射装置２００の概略図である。具体的には、擬似太陽光照射装置２００は、太陽電池モジュール２０６の照射面の下部に光学的に開放された箱状のフレームＦが設けられ、このフレームＦ内が仕切り板Ｓによって仕切られることによって、光学的に独立しかつ上面を光学的に開放された隣接する個々の室２１１，２１２が形成された構成である。室２１１にはハロゲンランプ２０１が設置され、室２１２にはキセノンランプ２０２が設置されている。さらに、各室２１１，２１２の内部には、照度むらを調整するための反射板２１５，２１６が設けられている。そして、各室２１１，２１２におけるハロゲンランプ２０１およびキセノンランプ２０２の上方開放部には、それぞれ専用の光学フィルタ２０８，２０９が設置されている。この構成によって、被測定対象となる太陽電池モジュール２０６の照射面に対して、下方からハロゲンランプ２０１およびキセノンランプ２０２の点灯による擬似太陽光が照射される。擬似太陽光照射装置２００によれば、２種類の光源にて広い面積に擬似太陽光を照射可能となる。
【０００８】
一方、図１３は、特許文献３の擬似太陽光照射装置３００の概略図である。擬似太陽光照射装置３００は、枠体３０４内に、擬似太陽光を放射する擬似太陽光照射ボックス３０２と、擬似太陽光照射ボックス３０２の下面に対向配置された複数の反射板３０７からなる反射面３０８とを備えている。擬似太陽光照射ボックス３０２の上面に対向させて太陽電池パネル等の被照射体３０６が配置されている。擬似太陽光照射ボックス３０２には、擬似太陽光を放射する線状光源３０１が収容されている。また、擬似太陽光照射ボックス３０２の上面および下面には、スペクトル分布調整用の光学フィルタ（図示せず）が設けられている。そして、この光学フィルタを線状光源３０１の放射光が透過することで、擬似太陽光照射ボックス３０２の各放射面（上面および下面）から、擬似太陽光が照射される。このように、擬似太陽光照射装置３００によれば、光源からの直接光と反射光との両方の光が被照射体３０６に照射されるので、光源の利用効率を高め、より高い照度を得ることが可能となる。
【先行技術文献】
【特許文献】
【０００９】
【特許文献１】特開平０８−２３５９０３号公報  （公開日：１９９６年９月１３日）
【特許文献２】特開２００２−０４８７０４号公報（公開日：２００２年２月１５日）
【特許文献３】特開２００９−１４５２５４号公報（公開日：２００９年７月  ２日）
【発明の概要】
【発明が解決しようとする課題】
【００１０】
しかし、従来の擬似太陽光照射装置は、装置を大型化することなく、基準太陽光と同程度の擬似太陽光を照射することができないという問題がある。
【００１１】
具体的には、図１１に示すように、擬似太陽光照射装置１００では、キセノン光源１０１およびハロゲン光源１０２から出射された光Ａは、コールドミラー１０３に向かって進む。しかし、コールドミラー１０３に到達しない光Ｃも存在する。この光Ｃは、被照射体１０４には照射されない。このように、擬似太陽光照射装置１００では、キセノン光源１０１およびハロゲン光源１０２から出射される光のうち、限られた光しか擬似太陽光として用いることができない。つまり、基準太陽光と同程度の擬似太陽光Ｂを得ることができない。
【００１２】
従って、基準太陽光と同程度の照度を得るためには、キセノン光源１０１およびハロゲン光源１０２をコールドミラー１０３に近づけるか、あるいは、キセノン光源１０１およびハロゲン光源１０２の出力を大きくする必要がある。
【００１３】
しかし、キセノン光源１０１およびハロゲン光源１０２をコールドミラー１０３に近づけると、特に高温になるハロゲン光源１０２の熱で、コールドミラー１０３が破損してしまう。このため、事実上、キセノン光源１０１およびハロゲン光源１０２をコールドミラー１０３に近づけることはできない。従って、基準太陽光と同程度の照度を得るためには、キセノン光源１０１およびハロゲン光源１０２の出力を非常に大きくする必要がある。
【００１４】
しかし、キセノン光源１０１およびハロゲン光源１０２の出力を大きくすると、キセノン光源１０１およびハロゲン光源１０２の寿命を劇的に低下させてしまう。その結果、キセノン光源１０１およびハロゲン光源１０２を頻繁に交換しなければならず、装置のランニングコストが増大する。従って、キセノン光源１０１およびハロゲン光源１０２の出力を大きくすることも実用的ではない。
【００１５】
このように、特許文献１の擬似太陽光照射装置１００は、事実上、基準太陽光と同程度の擬似太陽光Ｂを照射することができない。
【００１６】
一方、特許文献２の擬似太陽光照射装置２００では、ハロゲンランプ２０１およびキセノンランプ２０２の各々に、反射板２１５，２１６が設けられている。このため、ハロゲンランプ２０１およびキセノンランプ２０２から出射される光のうち、光学フィルタ２０８，２０９に向かわない光を反射させて、ある程度光学フィルタ２０８，２０９に向かって出射させることは可能となる。しかし、反射板２１５，２１６によって、ハロゲンランプ２０１およびキセノンランプ２０２の光量を増加させるには限界がある。このため、擬似太陽光照射装置２００も、基準太陽光と同程度の擬似太陽光を得ることはできない。つまり、基準太陽光と同程度の照度を得るためには、キセノンランプ２０１およびハロゲンランプ２０２を光学フィルタ２０８，２０９に近づけるか、あるいは、キセノンランプ２０１およびハロゲンランプ２０２の出力を大きくする必要がある。従って、擬似太陽光照射装置２００も、特許文献１の擬似太陽光照射装置１００と同様に、基準太陽光と同程度の擬似太陽光Ｂを照射することができない。また、反射板２１５，２１６がハロゲンランプ２０１およびキセノンランプ２０２のスペクトル分布を乱してしまい、基準太陽光からかけ離れたスペクトル分布を有する擬似太陽光を生成してしまうという問題もある。
【００１７】
さらに、特許文献３の擬似太陽光照射装置３００では、擬似太陽光照射ボックス３０２の下部に、反射面３０８を配置するスペースが必要不可欠である。従って、必然的に擬似太陽光照射装置３００が大型化してしまう。
【００１８】
本発明は、上記従来の問題点に鑑みてなされたものであり、その目的は、装置を大型化することなく、基準太陽光と同程度の擬似太陽光を照射することのできる擬似太陽光照射装置を提供することにある。
【課題を解決するための手段】
【００１９】
本発明に係る擬似太陽光照射装置は、上記の課題を解決するために、所定の分光分布を有する第１の光を照射する第１の光源と、第１の光とは異なる分光分布を有する第２の光を照射する第２の光源と、第１の光および第２の光が入射し、入射した第１の光および第２の光から選択された分光を混合することにより合成された擬似太陽光を出射する光選択部とを備えた擬似太陽光照射装置であって、第１の光源および第２の光源の少なくとも一方と光選択部との間に、第１の光および第２の光の少なくとも一方の光を反射し、上記光選択部に入射させる反射部材を備えることを特徴としている。
【００２０】
上記の構成によれば、第１の光源から照射された第１の光は、直接、光選択部に入射する光だけでなく、反射部材によって反射された光も、光選択部に入射する。あるいは、同様に、第２の光源から照射された第２の光は、直接、光選択部に入射するだけでなく、反射部材によって反射された光も、光選択部に入射する。これにより、反射部材がない場合よりも、多くの光が光選択部に入射する。従って、光選択部から出射される擬似太陽光の照度（光量）を高めることができる。つまり、擬似太陽光照射装置が被照射体に照射する擬似太陽光の照度（光量）を高めることができる。
【００２１】
また、上記の構成によれば、反射部材が、第１の光源および第２の光源の少なくとも一方と光選択部との間に設けられている。このため、特許文献３の擬似太陽光照射装置のように、光源の下部に反射面を配置するスペースが不要である。従って、装置は大型化しない。
【００２２】
このように、上記の構成によれば、第１の光源および第２の光源と、光選択部との間に設けられた反射部材が、第１の光および第２の光を反射する。これにより、第１の光源から出射された第１の光、および、第２の光源から出射された第２の光の多くが、光選択部に入射する。従って、装置を大型化することなく、基準太陽光と同等の照度（光量）の擬似太陽光を、被照射体に照射することができるという効果を奏する。
【００２３】
なお、反射部材としては、例えば、反射ミラー、導光体等、面精度が非常に優れた部材を適用することができる。
【００２４】
本発明に係る擬似太陽光照射装置では、第１の光源は、波長３００〜７００ｎｍの光を含む第１の光を照射し、上記反射部材は、第１の光源と光選択部との間に設けられていると共に、アルミミラーからなることが好ましい。
【００２５】
上記の構成によれば、反射部材が、擬似太陽光の短波長側（波長３００〜７００ｎｍ）でほぼ一定の値を示す反射率特性を示すアルミミラーから構成されている。このため、擬似太陽光の短波長側の光を含む第１の光の波長特性（分光特性）が劣化しない。従って、基準太陽光の短波長側の発光スペクトルに近い第１の光を、光照射部に入射させることができる。
【００２６】
本発明に係る擬似太陽光照射装置では、上記第２の光源は、波長７００ｎｍ以上の光を含む第２の光を照射し、上記反射部材は、第２の光源と光選択部との間に設けられていると共に、金ミラーからなることが好ましい。
【００２７】
上記の構成によれば、反射部材が、擬似太陽光の長波長側（波長７００ｎｍ以上）でほぼ一定の値を示す反射率特性を示す金ミラーから構成されている。このため、擬似太陽光の長波長側の光を含む第２の光の波長特性（分光特性）が劣化しない。従って、基準太陽光の短波長側の発光スペクトルに近い第２の光を、光照射部に入射させることができる。
【００２８】
本発明に係る擬似太陽光照射装置では、第１の光または第２の光が所定の角度で光選択部に入射するように、第１の光および第２の光の少なくとも一方の光の指向性を制御する指向性制御部を備えることが好ましい。
【００２９】
上記の構成によれば、指向性制御部が、第１の光または第２の光の指向性を制御し、第１の光または第２の光が、所定の角度で光選択部に入射する。このため、第１の光または第２の光が、光選択部に到達するまでに、損失することがない。さらに、指向性制御部によって光の指向性が揃うため、基準太陽光のスペクトル分布に近い擬似太陽光を生成することが可能となる。従って、基準太陽光により近い照度（光量）および発光スペクトルの擬似太陽光を、被照射体に照射することができる。
【００３０】
本発明に係る擬似太陽光照射装置では、上記反射部材は、上記光選択部を包囲するように設けられていることが好ましい。
【００３１】
上記の構成によれば、光選択部が反射部材に内包される。これにより、第１の光源および第２の光源から出射された光が全て光選択部に入射し、擬似太陽光として照射される。従って、擬似太陽光の光量が低下することはない。さらに、第１の光および第２の光の各スペクトル分布を乱すことなく反射させることが可能となる。よって、基準太陽光により類似したスペクトル分布を持つ擬似太陽光を生成することができる。
【００３２】
本発明に係る擬似太陽光照射装置では、第１の光および第２の光の少なくとも一方の発光スペクトルを調整するスペクトル調整部を備えることが好ましい。
【００３３】
上記の構成によれば、スペクトル調整部が、第１の光源から照射される第１の光、または、第２の光源から照射される第２の光の発光スペクトルを調整する。これにより、光選択部およびスペクトル調整部によって、第１の光または第２の光の発光スペクトルが調整される。従って、擬似太陽光の発光スペクトルを基準太陽光の発光スペクトルにより近似させることが可能となる。
【発明の効果】
【００３４】
以上のように、本発明に係る擬似太陽光照射装置は、第１の光源および第２の光源の少なくとも一方と光選択部との間に、第１の光および第２の光の少なくとも一方の光を反射し、上記光選択部に入射させる反射部材を備える構成である。それゆえ、装置を大型化することなく、基準太陽光と同等の照度（光量）の擬似太陽光を、被照射体に照射することができるという効果を奏する。
【図面の簡単な説明】
【００３５】
【図１】本発明の一実施形態に係る擬似太陽光照射装置の要部構成を示す図である。
【図２】金ミラーの反射率特性を示すグラフである。
【図３】アルミミラーの反射率特性を示すグラフである。
【図４】反射ミラーがミラーボックスである構造を示す図である。
【図５】本発明の一実施形態に係る擬似太陽光照射装置の要部構成を示す図である。
【図６】図５の擬似太陽光照射装置に設けられた導光体内部での光の反射状態を示す図である。
【図７】図５の擬似太陽光照射装置に設けられた導光体から出射され、波長混合ミラーに入射しない光を示す図である。
【図８】本発明の一実施形態に係る擬似太陽光照射装置の要部構成を示す図である。
【図９】本発明の一実施形態に係る擬似太陽光照射装置の要部構成を示す図である。
【図１０】本発明の一実施形態に係る擬似太陽光照射装置の要部構成を示す図である。
【図１１】特許文献１に記載の擬似太陽光照射装置を示す図である。
【図１２】特許文献２に記載の擬似太陽光照射装置を示す図である。
【図１３】特許文献３に記載の擬似太陽光照射装置を示す図である。
【発明を実施するための形態】
【００３６】
以下、本発明の一実施形態について図面に基づいて説明する。図１は、本発明の実施の形態に係る擬似太陽光照射装置１０の概略構成を示す図である。擬似太陽光照射装置１０は、キセノン光源１（第１の光源）、ハロゲン光源２（第２の光源）、波長混合フィルタ３（光選択部）、反射ミラー４，５（反射部材）を備えている。擬似太陽光照射装置１０は、キセノン光源１およびハロゲン光源２からそれぞれ出射された光を波長混合フィルタ３で混合することにより擬似太陽光Ｓを生成し、太陽電池等の被照射体６に擬似太陽光Ｓを照射する。以下、擬似太陽光照射装置１０について詳細に説明する。
【００３７】
キセノン光源１およびハロゲン光源２は、擬似太陽光照射装置１０に設けられた、光源である。キセノン光源１およびハロゲン光源２は、キセノン光源１およびハロゲン光源２は、擬似太陽光Ｓを生成するために必要な分光分布（スペクトル分布）を有する光を照射する。キセノン光源１およびハロゲン光源２から照射される光は、互いに異なる分光分布を有している。キセノン光源１は、擬似太陽光に必要な短波長成分の光を多く照射する。一方、ハロゲン光源は、擬似太陽光に必要な長波長成分の光を多く照射する。
【００３８】
各光源は、キセノン光源１から波長混合フィルタ３に直接到達する光１ａと、ハロゲン光源２から波長混合フィルタ３に直接到達する光２ａとの成す角が９０°になるように配置されている。
【００３９】
このように、擬似太陽光照射装置１０は、分光分布の異なる光を照射する２種類の光源を備えている。これにより、キセノン光源１単独では不足する波長領域の光を、ハロゲン光源２から補うことが可能となる。従って、基準太陽光に近い擬似太陽光Ｓを生成することができる。
【００４０】
また、キセノン光源１およびハロゲン光源２は、波長混合フィルタ３への出射方向以外が、リフレクタ７，８に包囲されている。これにより、キセノン光源１およびハロゲン光源２から出射される波長混合フィルタ３に向かわない光が、リフレクタ７，８で反射し、波長混合フィルタ３に向かって出射する。つまり、リフレクタ７，８は、各光源から出力された光を集めて出射させる。その結果、キセノン光源１およびハロゲン光源２から直接出射される光、および、リフレクタ７，８により反射された光が、波長混合フィルタ３に向かって出射される。従って、キセノン光源１およびハロゲン光源２からの出力光を有効に利用することができる。
【００４１】
波長混合フィルタ３は、波長選択の機能を有する。つまり、波長混合フィルタ３は、キセノン光源１およびハロゲン光源２から放射される光から擬似太陽光Ｓに必要な光を選択（抽出）すると共に、選択された光を合成して擬似太陽光Ｓを合成する。具体的には、波長混合フィルタ３は、所定波長未満（所定波長よりも短波長側）の光を反射する一方、所定波長以上（所定波長よりも長波長側）の光を透過する。言い換えれば、波長混合フィルタ３は、擬似太陽光Ｓに必要な長波長側の光を透過する一方、短波長側の光を反射する機能を有する。そして、長波長側の光と短波長側の光とを混合して擬似太陽光Ｓを合成する。
【００４２】
具体的には、波長混合フィルタ３には、キセノン光源１からの出力光（第１の光）およびハロゲン光源２からの出力光（第２の光）が入射する。そして、入射した各出力光から必要な成分（スペクトル）の光を選択し、その選択した光を混合することにより、擬似太陽光Ｓを合成する。
【００４３】
より詳細には、キセノン光源１からの出力光は、擬似太陽光Ｓに必要な短波長側の成分を多く含む。一方、ハロゲン光源２からの出力光は、擬似太陽光Ｓに必要な長波長側の成分を多く含む。波長混合フィルタ３は、６００〜８００ｎｍの範囲で境界波長が設定されており、この境界波長未満の光を反射する一方、境界波長以上の光を透過する。つまり、キセノン光源１からの出力光のうち、境界波長未満の光（短波長側の成分の光）のみが、波長混合フィルタ３により反射する。一方、ハロゲン光源２からの出力光のうち、境界波長以上の光（長波長側の成分の光）のみが、波長混合フィルタ３により透過する。これにより、擬似太陽光Ｓに必要な波長の光のみが、波長混合フィルタ３により選択される。そして、選択された光が合成され、擬似太陽光Ｓとして出射される。なお、波長混合フィルタ３が反射または透過させる光の境界波長は、任意に設定すればよい。
【００４４】
このように、波長混合フィルタ３は、キセノン光源１の出力光に含まれる擬似太陽光Ｓの合成に必要な短波長成分の光と、ハロゲン光源２の出力光に含まれる擬似太陽光Ｓの合成に必要な長波長成分の光とを抽出して、擬似太陽光Ｓを生成する。
【００４５】
波長混合フィルタ３は、波長依存性のある鏡やフィルタを用いることができる。例えば、ダイクロイックミラー（２色性ミラー）、コールドミラー、シャープカットフィルタなどを用いることができる。
【００４６】
反射ミラー４は、キセノン光源１と波長混合フィルタ３との間に設けられている。反射ミラー５は、ハロゲン光源２と波長混合フィルタ３との間に設けられている。具体的には、本実施形態では、互いに対向する１対の反射ミラー４，５が設けられている。また、反射ミラー４は、キセノン光源１の出射部から、波長混合フィルタ３に向かって延在している。同様に、反射ミラー５は、ハロゲン光源２の出射部から、波長混合フィルタ３に向かって延在している。ただし、反射ミラー４，５は、波長混合フィルタ３から被照射体６への擬似太陽光Ｓの照射を妨げないように配置されている。
【００４７】
反射ミラー４は、キセノン光源１からの出力光を反射して、波長混合フィルタ３に入射させる。これにより、キセノン光源１から直接波長混合フィルタ３に向かう光１ａと、反射ミラー４で反射された光１ｂとが、波長混合フィルタ３に入射する。従って、キセノン光源１からの出力光を有効に利用することができる。
【００４８】
同様に、反射ミラー５は、ハロゲン光源２からの出力光を反射して、波長混合フィルタ３に入射させる。これにより、ハロゲン光源２から直接波長混合フィルタ３に向かう光２ａと、反射ミラー５で反射された光２ｂとが、波長混合フィルタ３に入射する。従って、ハロゲン光源２からの出力光を有効に利用することができる。
【００４９】
ここで、擬似太陽光照射装置１０の特徴点について説明する。擬似太陽光照射装置１０は、擬似太陽光Ｓの照度が基準太陽光と同程度であることが要求される。例えば、被照射体６が太陽電池であり、擬似太陽光を照射して太陽電池の出力を測定する太陽電池評価装置に、擬似太陽光照射装置１０を適用する場合、基準太陽光と同程度の照度の擬似太陽光Ｓを太陽電池に照射しなければならない。
【００５０】
しかし、キセノン光源１およびハロゲン光源２は無指向性の光源であるため、各光源の出力光は、拡がりを持った拡散光となる。このため、波長混合フィルタ３に到達する光が少なくなる。その結果、擬似太陽光Ｓの照度が低くなり、被照射体６に基準太陽光と同程度の光が到達しなくなる。
【００５１】
そこで、擬似太陽光照射装置１０は、キセノン光源１およびハロゲン光源２の出力光をできるだけ多く擬似太陽光Ｓとして利用するために、キセノン光源１およびハロゲン光源２の周辺に、反射ミラー４，５を備えている。反射ミラー４は、キセノン光源１と波長混合フィルタ３との間に設けられ、反射ミラー５は、ハロゲン光源２と波長混合フィルタ３との間に設けられている。
【００５２】
このため、キセノン光源１から照射された出力光は、直接波長混合フィルタ３に向かう光１ａだけでなく、反射ミラー４によって反射された光１ｂも、波長混合フィルタ３に入射する。同様に、ハロゲン光源２から照射された出力光は、直接波長混合フィルタ３に向かう光２ａだけでなく、反射ミラー５によって反射された光２ｂも、波長混合フィルタ３に入射する。このため、反射ミラー４，５がない場合に波長混合フィルタ３に入射されなかった光が、反射ミラー４，５によって反射されて、波長混合フィルタ３を透過または反射する。これにより、反射ミラー４，５がない場合よりも、多くの光が波長混合フィルタ３に入射する。つまり、キセノン光源１およびハロゲン光源２からの出力光を有効に利用することができる。このため、波長混合フィルタ３に到達する光がより多くなる。従って、波長混合フィルタ３から出射される擬似太陽光の照度（光量）を高めることができる。それゆえ、キセノン光源１およびハロゲン光源２を被照射体６に近づけずに、またキセノン光源１およびハロゲン光源２の出力を大きくせずに、被照射体６に到達する光量を大きくすることができ、被照射体６に基準太陽光と同程度の光を到達させることができる。
【００５３】
また、反射ミラー４，５は、キセノン光源１またはハロゲン光源２と、波長混合フィルタ３との間に設けられている。従って、擬似太陽光照射装置１０は大型化しない。
【００５４】
このように、擬似太陽光照射装置１０は、キセノン光源１およびハロゲン光源２から波長混合フィルタ３に入射せず擬似太陽光Ｓとして利用されていなかった光（光１ｂ，光２ｂ）を、それぞれの反射ミラー４，５で反射させ、波長混合フィルタ３に入射させる。これにより、波長混合フィルタ３に入射する光量が多くなり、波長混合フィルタ３を透過ないし反射させて合成した擬似太陽光Ｓが、被照射体６に照射される。よって、無指向性のキセノン光源１およびハロゲン光源２を用いても、擬似太陽光Ｓとして利用される光量が多くなる。従って、キセノン光源１およびハロゲン光源２の出力を大きくすることなく（出力を抑制しつつ）、擬似太陽光Ｓの照度を大きくすることができる。
【００５５】
また、擬似太陽光照射装置１０は、擬似太陽光Ｓの照度が基準太陽光と同程度であることに加えて、擬似太陽光Ｓの発光スペクトルが基準太陽光（ＪＩＳ  Ｃ８９４１）と近いことが好ましい。例えば、擬似太陽光照射装置１０から照射される擬似太陽光Ｓの発光スペクトルと、自然の太陽光の発光スペクトルとの違いは、±５％未満に収まっていることが望ましい。つまり、波長混合フィルタ３に入射する光は、特定波長の透過率または反射率が低くなっていないことが好ましい。
【００５６】
擬似太陽光照射装置１０では、光源として、キセノン光源１およびハロゲン光源２を用いている。そこで、反射ミラー４はアルミミラー（Ａｌミラー）であり、反射ミラー５は金ミラーであることが好ましい。図２は、アルミミラーの反射率を示すグラフである。図３は、金ミラーの反射率を示すグラフである。
【００５７】
具体的には、キセノン光源１から出力されるキセノン光は、擬似太陽光Ｓの短波長側を構成している。このため、反射ミラー４は、短波長側に影響の少ない反射特性を示すことが好ましい。図２のように、アルミニウムは、波長３００〜７００（ｎｍ）までの反射率が安定して高い。つまり、アルミミラーは、擬似太陽光Ｓの短波長側でほぼ一定の値を示すという反射率特性を示す。このため、反射ミラー４がアルミミラーであれば、擬似太陽光の短波長側を構成しているキセノン光の波長特性（分光特性）が劣化しない。従って、基準太陽光の短波長側の発光スペクトルに近いキセノン光を、波長混合フィルタ３に入射させることができる。
【００５８】
一方、ハロゲン光源２から出力されるハロゲン光は、擬似太陽光Ｓの長波長側を構成する。このため、反射ミラー５は、長波長側に影響の少ない反射特性を示すことが好ましい。図３のように、金は、波長７００（ｎｍ）以上の光の反射率が安定して高い。つまり、金ミラーは、擬似太陽光Ｓの長波長側でほぼ一定の値を示すという反射率特性を示す。このため、反射ミラー５が金ミラーであれば、擬似太陽光の長波長側を構成しているハロゲン光の波長特性（分光特性）が劣化しない。従って、基準太陽光の長波長側の発光スペクトルに近いハロゲン光を、波長混合フィルタ３に入射させることができる。
【００５９】
このように、アルミニウムは短波長側の反射率が高く、金は長波長側の反射率が高い。このため、反射ミラー４がアルミミラーであり、反射ミラー５が金ミラーであれば、反射ミラー４，５で波長特性（分光特性）が劣化せずに、波長混合フィルタ３にキセノン光およびハロゲン光が入射する。このため、波長混合フィルタ３から被照射体６に照射される擬似太陽光Ｓの波長特性（分光特性）も劣化しない。従って、より大きな光量の擬似太陽光Ｓを、被照射体６に照射することができる共に、基準太陽光の発光スペクトルに近い擬似太陽光Ｓを被照射体６に照射することができる。
【００６０】
なお、反射ミラー４は、少なくとも反射面にアルミニウム膜が形成されていればよく、反射ミラー５は、少なくとも反射面に金膜が形成されていればよい。アルミニウム膜および金膜は、例えば、蒸着等により形成することができる。また、特にアルミニウム膜は、反射率が劣化しやすいので、長期信頼性を考慮すると、アルミニウム膜は保護膜によってコートすることが好ましい。保護膜としては、反射率の特性を劣化させず、また特定の波長帯で急な変化がないような特性のものを選択すればよい。これにより、擬似太陽光Ｓのスペクトル分布が変化することなく、基準太陽光の発光スペクトルに近い擬似太陽光Ｓを生成することが可能となる。
【００６１】
以上のように、擬似太陽光照射装置１０では、キセノン光源１およびハロゲン光源２と、波長混合フィルタ３との間に、キセノン光を反射する反射ミラー４およびハロゲン光を反射する５が設けられている。このため、キセノン光源１およびハロゲン光源２の周辺に設けられた反射ミラー４，５によって、波長混合フィルタ３に入射されない光が反射する。これにより、キセノン光源１から出射されるキセノン光、および、ハロゲン光源から出射されるキセノン光の多くが、波長混合フィルタ３に入射し、透過または反射する。従って、擬似太陽光照射装置１０を大型化することなく、基準太陽光と同等の照度（光量）の擬似太陽光Ｓを、被照射体６に照射することができるという効果を奏する。
【００６２】
なお、擬似太陽光照射装置１０では、擬似太陽光Ｓを得るための光源として、キセノン光源１およびハロゲン光源２を用いた。しかし、光源の種類および光源の組み合わせはこれらに限定されるものではなく、基準太陽光の発光スペクトルと近似または同一となるように、任意に選択することができる。
【００６３】
また、擬似太陽光照射装置１０では、波長混合フィルタ３は、長波長側の光を透過し、短波長側の光を反射する機能のみであったがこれに限定されるわけではない。例えば、波長混合フィルタ３からより基準太陽光に近い擬似太陽光Ｓを出射するために、波長ごとにより細かに透過率または反射率を変えたフィルタを用いることもできる。
【００６４】
また、擬似太陽光照射装置１０は、キセノン光源１に対して１対の反射ミラー４を、ハロゲン光源２に対して１対の反射ミラー５を、それぞれ備えている。しかし、キセノン光およびハロゲン光の光量に問題がなければ、反射ミラー４，５は、片側１枚のみでもよい。また、図１では、紙面に対して垂直な方向にのみ、１対の反射ミラー４，５を設置しているが、これに限定されるわけではない。例えば、紙面に対して平行な方向に反射ミラー４，５を設置してもよい。また、反射ミラー４，５の一方のみでも、キセノン光またはハロゲン光の多くが、波長混合フィルタ３に入射する。
【００６５】
また、反射ミラー４，５を、図４に示すような、ミラーボックスから構成することもできる。図４は、反射ミラー４，５がミラーボックスである構造を示す図である。
【００６６】
具体的には、図４では、反射ミラー４，５が、直方体形状のミラーボックスから構成されている。このミラーボックスは、キセノン光源１およびハロゲン光源２の出射部から、波長混合フィルタ３までの間を包囲している。このミラーボックスは、入射面および出射面以外の内面が、キセノン光またはハロゲン光が反射する反射面として機能する。具体的には、キセノン光源１またはハロゲン光源２から出力された光（キセノン光またはハロゲン光）は、ミラーボックスからなる反射ミラー４，５の内部を通り抜けて、波長混合フィルタ３（図示せず）へ向けて出射される。上述のように、キセノン光源１またはハロゲン光源２は、無指向性の光を出力するため、拡散して進む。しかし、ミラーボックスがあるため、キセノン光源１またはハロゲン光源２からミラーボックスに入射した大部分の光が、波長混合フィルタ３に入射する。従って、反射ミラー４，５をミラーボックスから構成すれば、キセノン光源１またはハロゲン光源２から出射されるより多くの光を、擬似太陽光Ｓとして利用することができる。
【００６７】
なお、上述のように、アルミニウムは、波長３００〜７００（ｎｍ）までの反射率が安定して高く、金は、波長７００（ｎｍ）以上の光の反射率が安定して高い。このため、キセノン光源１に対応するミラーボックスの内面（反射面）にはアルミミラー（アルミニウム膜）を形成し、ハロゲン光源２に対応するミラーボックスの内面（反射面）には金ミラー（金膜）を形成することが好ましい。これにより、擬似太陽光Ｓのスペクトル分布が変化することなく、基準太陽光の発光スペクトルに近い擬似太陽光Ｓを生成することが可能となる。
【００６８】
以下、図５〜図１０に基づいて、擬似太陽光照射装置１０の別の形態について説明する。なお、以下では、擬似太陽光照射装置１０との相違点を中心に説明し、同一の機能および作用を示す部材については、同一の符号を付し、説明を省略する。
【００６９】
図５は、擬似太陽光照射装置２０の要部構成を示す図（側面図）である。図１の擬似太陽光照射装置１０の光学系は、キセノン光源１およびハロゲン光源２から、直接、波長混合フィルタ３に光を照射するようになっている。このため、キセノン光およびハロゲン光の一部が、波長混合フィルタ３に到達するまでに、損失する可能性がある。
【００７０】
そこで、図５の擬似太陽光照射装置２０は、キセノン光源１に対応する導光体１４（反射部材，指向性制御部）、および、ハロゲン光源２に対応する導光体１５（反射部材，指向性制御部）を備えている。具体的には、擬似太陽光照射装置２０は、擬似太陽光照射装置１０における反射ミラー４，５の代わりに、光学素子として、導光体１４，１５を備えている。導光体１４，１５は、例えば、テーパカプラ等である。さらに、擬似太陽光照射装置２０は、ハロゲン光源２に対応する導光体１５の出射側の端部から、波長混合フィルタ３に向かって、反射ミラー９が延在している。
【００７１】
導光体１４，１５は、キセノン光源１およびハロゲン光源２と、波長混合フィルタ３との間に設けられている。導光体１４，１５の一方の端部は、キセノン光源１またはハロゲン光源２と近接して配置され、他方の端部は波長混合フィルタ３に近接して配置されている。
【００７２】
擬似太陽光照射装置２０も、擬似太陽光照射装置１０と同様に、キセノン光源１およびハロゲン光源２から直接出射される光、および、リフレクタ７，８により反射された光が、導光体１４，１５に出射される。導光体１４，１５に入射した光は、導光体１４，１５内部を伝播して、波長混合フィルタ３に向かって出射される。そして、波長混合フィルタ３で擬似太陽光Ｓが合成される。
【００７３】
図６は、擬似太陽光照射装置２０に設けられた導光体１４，１５内部での光の反射状態を示す図である。図６のように、導光体１４，１５は、対向する１対の面が、テーパ形状（台形形状）になっている。すなわち、導光体１４，１５の入射面から出射面に向かって、導光体１４，１５の幅（断面積）が徐々に増加する。このような構造によって、キセノン光源１およびハロゲン光源２から出力された光は、図中の矢印で示すように、導光体１４，１５の側面で複数回反射するうちに、指向性（放射角）が改善される。これにより、指向性が揃った（放射角が制御された）光が、導光体１４，１５の出射面から出射される。なお、導光体１４，１５から出射される光の放射角は、導光体１４，１５の側面の傾斜角と、導光体１４，１５における光の進行方向の長さとによって制御される。
【００７４】
また、導光体１４，１５を用いれば、キセノン光源１およびハロゲン光源２から出力された光はすべて、導光体１４，１５を伝搬する。また、キセノン光源１およびハロゲン光源２から出力された光の進行方向（指向性）を揃えると共に、揃えた光を全て波長混合フィルタ３に入射させることができる。つまり、導光体１４，１５を用いれば、キセノン光およびハロゲン光の光量が、波長混合フィルタ３に到達するまでに、損失しない。なお、導光体１４，１５は、例えば、石英などから構成することができる。
【００７５】
導光体１４，１５によって、光の指向性を揃える利点は、波長混合フィルタ３の構造と関係する。具体的には、波長混合フィルタ３は、複数の薄膜が積層された構造になっている。このため、波長混合フィルタ３への入射角の違いにより、透過率特性または反射率特性も変化してしまう。つまり、波長混合フィルタ３に無指向性の光が入射すると、基準太陽光のスペクトル分布と乖離したスペクトル分布を有する擬似太陽光Ｓを生成してしまう。しかし、導光体１４，１５によって、光の指向性を揃えれば、基準太陽光のスペクトル分布に近い擬似太陽光Ｓを生成することが可能となる。
【００７６】
このように、擬似太陽光照射装置２０は、導光体１４，１５を備えるため、キセノン光およびハロゲン光が所定の角度で波長選択フィルタ３に入射するように、光の指向性が制御される。このため、キセノン光およびハロゲン光の光量が、波長混合フィルタ３に到達するまでに、損失することがない。さらに、導光体１４，１５によって光の指向性が揃うため、基準太陽光のスペクトル分布に近い擬似太陽光Ｓを生成することが可能となる。従って、基準太陽光により近い照度（光量）および発光スペクトルの擬似太陽光Ｓを、被照射体６に照射することができる。なお、導光体１４，１５の一方のみでも、キセノン光またはハロゲン光の指向性を制御し、所定の角度で波長混合フィルタ３に入射する。
【００７７】
一方、擬似太陽光照射装置２０のように、キセノン光源１およびハロゲン光源２と、波長混合フィルタ３との間に導光体１４，１５を設けても、一部の光が波長混合フィルタ３に入射しない可能性がある。例えば、図７は、擬似太陽光照射装置２０の導光体１５から出射され、波長混合フィルタ３に入射しない光を示す概略図である。
【００７８】
図７のように、導光体１５から出射した光のうち、導光体１５の出射面と波長混合フィルタ３との間から漏れる光２ｃが存在する。具体的には、この光２ｃには、導光体１５の出射面から上側（波長混合フィルタ３の上側）に抜ける光と、導光体の１５の出射面から横側（波長混合フィルタ３の側面方向）に抜ける光とがある。このような光２ｃは、波長混合フィルタ３には入射されない。このため、擬似太陽光Ｓの光量の低下につながる。
【００７９】
そこで、擬似太陽光照射装置２０は、導光体１５の出射面から上側に抜ける光を反射させて波長混合フィルタ３に入射させるために、反射ミラー９を備えている。反射ミラー９は、ハロゲン光源２に対応する導光体１５における出射側の端部の上面から、波長混合フィルタ３に向かって、反射ミラー９が延在している。このように反射ミラー９が設けられていると、導光体１５の出射面と波長混合フィルタ３との間から漏れる光２ｃは、反射ミラー９で反射され、波長混合フィルタ３に入射する。これにより、導光体１５から出射された光が全て波長混合フィルタ３に入射し、擬似太陽光Ｓとして照射される。従って、擬似太陽光Ｓの光量が低下することはない。
【００８０】
なお、反射ミラー９は、ハロゲン光源２に対応する導光体１５から出射される光を反射する。このため、反射ミラー９は金ミラーであることが好ましい。また、導光体１４から出射される光を反射する場合は、アルミミラーであることが好ましい。
【００８１】
擬似太陽光照射装置２０では、導光体の１５の出射面から横側（波長混合フィルタ３の側面方向）に抜ける光は、反射ミラー９で反射されない。そこで、図８の擬似太陽光照射装置３０のように、擬似太陽光照射装置２０の構成に加えて、導光体の１５の出射面から横側に抜ける光を反射させる反射ミラー２１を備えることが好ましい。図８は、擬似太陽光照射装置３０の要部構成を示す図（側面図）である。
【００８２】
擬似太陽光照射装置３０において、反射ミラー２１は、波長混合フィルタ３の側面に設けられている。このため、波長混合フィルタ３は、反射ミラー９および反射ミラー２１に内包される。また、反射ミラー２１は、キセノン光源１に対応する領域２２と、ハロゲン光源２に対応する領域２３とを有する。領域２２は、キセノン光源１から出射されたキセノン光を反射する。一方、領域２３は、ハロゲン光源２から出射されたハロゲン光を反射する。このように、反射ミラー９および反射ミラー２１が、波長混合フィルタ３を包囲するように設けられていると、導光体１４の出射面と波長混合フィルタ３との間から漏れる光が、反射ミラー２１の領域２２で反射され、波長混合フィルタ３に入射する。また、導光体１５の出射面と波長混合フィルタ３との間から漏れる光が、反射ミラー９に加えて反射ミラー２１の領域２２でも反射され、波長混合フィルタ３に入射する。これにより、導光体１４，１５から出射された光が全て波長混合フィルタ３に入射し、擬似太陽光Ｓとして照射される。従って、擬似太陽光Ｓの光量が低下することはない。さらに、キセノン光およびハロゲン光の各スペクトル分布を乱すことなく反射させることが可能となるので、基準太陽光により類似したスペクトル分布を持つ擬似太陽光Ｓを生成することができる。
【００８３】
なお、反射ミラー２１の領域２２は、キセノン光源１に対応する導光体１４から出射する光を反射する。このため、領域２２は、アルミミラーであることが好ましい。一方、反射ミラー２１の領域２３は、ハロゲン光源２に対応する導光体１５から出射される光を反射する。このため、領域２３は、金ミラーであることが好ましい。
【００８４】
上述の擬似太陽光照射装置１０，２０，３０では、波長混合フィルタ３により、基準太陽光の発光スペクトルに近い擬似太陽光を抽出している。しかし、波長混合フィルタ３だけでは、擬似太陽光Ｓの発光スペクトルを基準太陽光の発光スペクトルに近似させることは難しい。そこで、キセノン光源１およびハロゲン光源２から出射した光のスペクトルを調整するスペクトル調整フィルタを備えることが好ましい。図９は、擬似太陽光照射装置４０の要部構成を示す図である。
【００８５】
図９のように、擬似太陽光照射装置４０は、図５の擬似太陽光照射装置２０に加えて、スペクトル調整フィルタ２４，２５（スペクトル調整部）を備えている。
【００８６】
スペクトル調整フィルタ２４，２５は、キセノン光源１またはハロゲン光源２から導光体１４，１５を介して出射される光の発光スペクトルを調整する光学素子である。
【００８７】
具体的には、スペクトル調整フィルタ２４は、キセノン光源１に対応する導光体１４の出射面に近接して設けられている。スペクトル調整フィルタ２４は、導光体１４から出射されるキセノン光のスペクトル分布を調整する。同様に、スペクトル調整フィルタ２５は、ハロゲン光源２に対応する導光体１５の出射面に近接して設けられている。スペクトル調整フィルタ２５は、導光体１５から出射されるハロゲン光のスペクトル分布を調整する。これにより、スペクトル調整フィルタ２４，２５によりスペクトル調整された光が、波長混合フィルタ３に入射する。従って、擬似太陽光Ｓの発光スペクトルを基準太陽光の発光スペクトルにより近似させることが可能となる。
【００８８】
スペクトル調整フィルタ２４，２５は、１枚のフィルタで構成されていても、複数枚で構成されていてもよい。スペクトル調整フィルタ２４，２５が複数枚のフィルタから構成されていれば、より細かな波長帯でのスペクトル調整が可能となる。従って、より基準太陽光に類似したスペクトル分布有する擬似太陽光Ｓを生成することが可能となる。
【００８９】
なお、擬似太陽光照射装置４０も、擬似太陽光照射装置２０と同様に、反射ミラー９を備えている。これにより、ハロゲン光源２からの出力光が波長混合フィルタ３に到達せずに漏れてしまっても、その漏れた光を反射ミラー９で反射させて、波長混合フィルタ３に入射させることができる。また、反射ミラー９は、ハロゲン光源２の出力漏れを防ぐことを目的としているため、金ミラーであることが好ましい。
【００９０】
また、図示しないが、擬似太陽光照射装置４０においても、図８の擬似太陽光照射装置３０と同様に、波長混合フィルタ３の両側面を、反射ミラー２１で囲うことが好ましい。これにより、キセノン光源１およびハロゲン光源２から出射された光を効率よく擬似太陽光Ｓとして利用することが可能となる。従って、擬似太陽光Ｓの光量が低下することはない。さらに、キセノン光およびハロゲン光の各スペクトル分布を乱すことなく反射させることが可能となるので、基準太陽光により類似したスペクトル分布を持つ擬似太陽光Ｓを生成することができる。
【００９１】
ところで、近年、太陽電池パネルの大型化が進んでいるため、擬似太陽光を大面積に照射できる擬似太陽光照射装置が求められている。図１０は、擬似太陽光照射装置５０の要部構成を示す図である。図１０のように、擬似太陽光照射装置５０は、均一な擬似太陽光Ｓを広い範囲に照射するために、図９の擬似太陽光照射装置４０を２つと、擬似太陽光照射装置４０・４０の間に設けられた導光体２７とを備えている。
【００９２】
導光体２７の両端には、擬似太陽光照射装置４０・４０が配置されており、各擬似太陽光照射装置４０の波長混合フィルタ３から照射される擬似太陽光が、導光体２７の対向する面に入射するようになっている。導光体２７の下面には、図中破線で示すように、散乱体２７ａが形成されている。これにより、各擬似太陽光照射装置４０から出射され、導光体２７に入射した光（擬似太陽光）は、導光体２７内部を伝播する。このとき、散乱体２７ａに当たった光は、矢印で示すように、被照射体６側（上向き）に出射される。従って、より広い面積の被照射体６に対して、擬似太陽光を照射することが可能となる。このように、擬似太陽光照射装置５０では、設計通りの擬似太陽光を大面積の被照射体６に照射することができる。
【００９３】
また、導光体２７の両端から擬似太陽光が入射するため、より多くの光量（照度）の擬似太陽光を、被照射体６に照射することが可能となる。さらに、散乱体２７ａのパターンを変更すれば、擬似太陽光の照度ムラを調整することができる。従って、均一な擬似太陽光を被照射体６に照射することができる。
【００９４】
本発明は、以下のように表現することもできる。
〔１〕所定の分光分布を有する第１の光源から照射される第１の光と該第１の光とは異なる分光分布を有する第２の光源から照射される第２の光とを光選択手段に入射して合成してなる擬似太陽光を照射する擬似太陽光照射装置であって、前記光選択手段と前記第１の光源ないし第２の光源との間に、少なくとも１枚の反射手段（反射部材）を設置することを特徴とする擬似太陽光照射装置。
【００９５】
前記構成によれば、擬似太陽光照射装置は、所定の分光分布を有する第１の光源から照射される第１の光、例えば所定の境界波長よりも短波長側の成分を多く含む光と、該第１の光とは異なる分布を有する第２の光源から照射される第２の光、例えば所定の境界波長よりも長波長側の成分を多く含む光とを光選択手段に入射し、選択して出力（合成）する。このとき第１の光源から出力された光と第２の光源から出力された光は広がりを持っているため、反射ミラーで反射させてより多くの光を光選択手段に入射させることにより、より多くの光を被照射体に照射させることができる。
【００９６】
以上のことから、第１の光と第２の光は、光源から出射したより多くの光を光選択手段へ入射できるので、本発明に係る擬似太陽光照射装置は、装置が大型化することなく基準太陽光と同程度の照度を得る効果を奏する。
【００９７】
〔２〕第１の光源及び第２の光源を有する光源部と、前記第１の光源から照射される第１の光における所定の境界波長よりも短波長側の光と、前記第２の光源から照射される第２の光における所定の境界波長よりも長波長側の光とを選択して出力する光選択手段とを備えた擬似太陽光照射装置であって、前記第２の光源と前記光選択手段との間に設置する反射手段は金ミラーであることを特徴とする上記〔１〕に記載の擬似太陽光照射装置。
【００９８】
前記構成によれば、第２の光源は擬似太陽光の長波長側を構成するため、第２の光源と光選択手段との間に設置されるミラーが金ミラーで構成されていれば、光源のスペクトル分布が乱されることなく、より高い反射率で反射される。
【００９９】
よって、第２の光源から出力された光をより多く被照射体に照射できるだけでなく、より基準太陽光のスペクトルに類似したスペクトル分布を有する擬似太陽光を生成することができる。
【０１００】
〔３〕第１の光源及び第２の光源を有する光源部と、前記第１の光源から照射される第１の光における所定の境界波長よりも短波長側の光と、前記第２の光源から照射される第２の光における所定の境界波長よりも長波長側の光とを選択して出力する光選択手段とを備えた擬似太陽光照射装置であって、前記第１の光源と前記光選択手段との間に設置する反射手段はアルミミラーであることを特徴とする上記〔１〕または〔２〕に記載の擬似太陽光照射装置。
【０１０１】
前記構成によれば、第１の光源は擬似太陽光の長波長側を構成するため、第１の光源と光選択手段との間に設置されるミラーがアルミミラーで構成されていれば、光源のスペクトル分布が乱されることなく、より高い反射率で反射される。
【０１０２】
よって、第１の光源から出力された光をより多く被照射体に照射できるだけでなく、より基準太陽光のスペクトルに類似したスペクトル分布を有する擬似太陽光を生成することができる。
【０１０３】
〔４〕前記光選択手段に対して所定の入射角にて入射すべく、前記第１の光の指向性又は前記第２の光の指向性を制御する制御手段とを備えてなることを特徴する上記〔１〕〜〔３〕のいずれかに記載の擬似太陽光照射装置。
【０１０４】
前記構成によれば、波長選択手段に入射される前の光について広がりを小さくされているため、光源から出力されたより多くの光を被照射体に照射することができる。
【０１０５】
〔５〕前記反射手段は前記光選択手段を囲むように設置されることを特徴とする上記〔１〕〜〔４〕のいずれかに記載の擬似太陽光照射装置。
【０１０６】
前記構成によれば、光選択手段側面から漏れる光を反射させて光選択手段に入射させることができるので、光源から出力されたより多くの光を被照射体に照射することができる。
【０１０７】
〔６〕前記第１の光又は前記第２の光の発光スペクトルを調整する調整手段を備えてなることを特徴とする上記〔１〕〜〔５〕のいずれかに記載の擬似太陽光照射装置。
【０１０８】
前記構成によれば、擬似太陽光の発光スペクトルを基準太陽光の発光スペクトルに近づけることができる。したがって、設計通りの擬似太陽光を生成できる効果を奏する。
【０１０９】
なお、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。例えば、波長混合フィルタ３から出力された光は擬似太陽光として被照射体６に照射されるが、波長混合フィルタ３以降の照射光学系は、特に限定されるものではなく、任意に設定することが可能である。
【産業上の利用可能性】
【０１１０】
本発明は、太陽電池の検査、測定、および実験に利用できる。また、化粧品、塗料、接着剤、各種材料の退色および耐光試験にも利用できる。さらに、光触媒の検査および実験、ならびに自然光を必要とするその他の各種実験にも利用できる。
【符号の説明】
【０１１１】
１    キセノン光源（第１の光源）
１ａ  光（第１の光）
１ｂ  光（第１の光）
２    ハロゲン光源（第２の光源）
２ａ  光（第２の光）
２ｂ  光（第２の光）
３    波長混合フィルタ（光選択部）
４    反射ミラー（反射部材）
５    反射ミラー（反射部材）
９    反射ミラー（反射部材）
１０    擬似太陽光照射装置
１４    導光体（反射部材，指向性制御部）
１５    導光体（反射部材，指向性制御部）
２０    擬似太陽光照射装置
２１    反射ミラー（反射部材）
２４    スペクトル調整フィルタ（スペクトル調整部）
２５    スペクトル調整フィルタ（スペクトル調整部）
３０    擬似太陽光照射装置
４０    擬似太陽光照射装置
５０    擬似太陽光照射装置
Ｓ    擬似太陽光
【図１】
0005583468.tif 000002
【図２】
0005583468.tif 000003
【図３】
0005583468.tif 000004
【図４】
0005583468.tif 000005
【図５】
0005583468.tif 000006
【図６】
0005583468.tif 000007
【図７】
0005583468.tif 000008
【図８】
0005583468.tif 000009
【図９】
0005583468.tif 000010
【図１０】
0005583468.tif 000011
【図１１】
0005583468.tif 000012
【図１２】
0005583468.tif 000013
【図１３】
0005583468.tif 000014